(57)【要約】【課題】攪拌後にすぐに使用でき、コンパクトに形成し、簡単に使用できて攪拌効率をよくする調味料容器を提供する。【解決手段】本発明の調味料容器１は、容器本体２の上部に供給口３を有し、さらにこの供給口３を開閉可能な蓋部４を有する調味料容器１において、容器本体２の内部には、自由に移動可能な攪拌体５が設けられていることを特徴とする。分離液状ドレッシング等の液状調味料や胡椒等の粉状調味料を調味料容器１に入れ、蓋部４によって供給口３を閉じた状態で容器本体２を振ると、攪拌体５が調味料中を移動し、攪拌が促進される。【選択図】          図１
2004160049.tif 000002
【特許請求の範囲】
【請求項１】
容器本体の上部に抽出口を有し、さらにこの抽出口を開閉可能な蓋部を有する調味料容器において、
前記容器本体の内部には、自由に移動可能な攪拌体が設けられていることを特徴とする調味料容器。
【請求項２】
前記攪拌体の材質は、硬質プラスチックであることを特徴とする請求項１に記載の調味料容器。
【請求項３】
前記攪拌体は、攪拌体本体と、この攪拌体本体の表面に形成され、攪拌を促進する突起部とを備え、前記突起部の先端を結んだ面は、球面に形成されていることを特徴とする請求項１または２に記載の調味料容器。
【請求項４】
前記突起部は、角部を丸めたリング状に複数形成されていることを特徴とする請求項３に記載の調味料容器。
【請求項５】
前記突起部は、前記攪拌体を平面上に載置したときに、前記攪拌体本体と前記平面との間に隙間を有するような大きさに形成されていることを特徴とする請求項３または４に記載の調味料容器。
【請求項６】
前記蓋部には、前記抽出口内に嵌入されて前記容器本体内に突出する棒状突起が設けられていることを特徴とする請求項１から５のいずれかの項に記載の調味料容器。
【請求項７】
前記抽出口は、前記容器本体に固定された蓋台座に設けられ、前記蓋台座には、前記容器本体の内部に突出する棒状突起が設けられていることを特徴とする請求項１から５のいずれかの項に記載の調味料容器。
【請求項８】
前記棒状突起には、前記攪拌体が蓋部に当接することを防止するストッパが形成されていることを特徴とする請求項７に記載の調味料容器。
【発明の詳細な説明】
【０００１】
【発明の属する技術分野】
本発明は、粉体またはドレッシング等の液体の調味量を内部に貯留しておき、少量ずつ取り出して使用するために用いる調味料容器に関する。
【０００２】
【従来の技術】
食卓で使用される粉状の調味料は容器内で固化しやすく、また、分離液状ドレッシング等の液体調味料は、油層と水層の比重が異なるため分離しやすく、さらに、他のドレッシングや調味液においても沈殿物が発生することがあるため、容器に入った調味料を使用するときには、蓋を閉じた状態で容器を振り、内部の粉状調味料の塊を攪拌して粉砕し、また、調味液を攪拌して混合してから使用している。
【０００３】
このような攪拌を補助する容器として、例えば、特許文献１に記載されたものがある。この容器は、円筒状の容器内に攪拌板を配置し、容器の中心軸に沿って設けた棒を軸方向に動かすことにより、内容物が攪拌板内の孔部を通過して攪拌される。そして、攪拌後は、攪拌板を取り外して、内容物を取り出す構造となっている。
【０００４】
【特許文献１】
特開２００１−２５３４４９号公報  （第１−２頁、第１図）
【０００５】
【発明が解決しようとする課題】
しかしながら、分離液状ドレッシング等の調味液は、攪拌により油層と水層が一旦分離するが、特許文献１に記載されたような容器では、攪拌板を外すのに時間がかかるため、使用時には、元のように分離してしまうという問題がある。
【０００６】
また、容器は、通常は食卓の上に置いておくものであるが、食卓には、ドレッシング以外にも多数の調味料が並べられるため、前記従来の容器の様な形態では、構造が複雑になり、容器が大きくなりすぎて邪魔になるという問題もある。
【０００７】
また、調味料の容器等は、レストラン等の外出先でも使用されるため、ある程度汎用化する必要があり、前記従来の容器のような特殊な使用形態とすると、初めて使用する者には、使い方がわかりにくいという問題もある。
また、粉状の調味料は攪拌板に設けられた孔を通過しにくく攪拌が不十分になるという問題がある。
【０００８】
そこで本発明が解決しようとする課題は、攪拌後にすぐに使用でき、コンパクトに形成し、簡単に使用できて攪拌効率をよくする調味料容器を提供することにある。
【０００９】
【課題を解決するための手段】
前記課題を解決するため、本発明の調味料容器は、容器本体の上部に抽出口を有し、さらにこの抽出口を開閉可能な蓋部を有する調味料容器において、前記容器本体の内部には、自由に移動可能な攪拌体が設けられていることを特徴とする。
【００１０】
抽出口は容器本体に直接形成したものの他、容器本体に取り付けた別部材に形成したものも含まれる。攪拌体は例えば、金属や硬質プラスチック等から形成され、形状、大きさ、数は問わない。
【００１１】
分離液状ドレッシング等の液状調味料や胡椒等の粉状調味料を調味料容器に入れ、蓋部によって抽出口を閉じた状態で容器本体を振ると、攪拌体が調味料中を移動し、攪拌が促進されるという作用を有する。
【００１２】
前記攪拌体を、硬質プラスチックで形成すると、金属ほど重量が大きくないため、容器本体の内壁に傷をつけることがなく、特に、容器本体や蓋部と同じ素材の硬質プラスチックで形成すると、使用後に調味料容器を廃棄するときの分別作業が不要となり、容器本体とともに捨てることができるという作用を有する。硬質プラスチックの材質としては、食品用容器として多く用いられるＰＥＴ、ＰＰ、ＰＥを主体とするものが好ましい。また、液状調味料を攪拌する場合において、ＰＰやＰＥを用いる場合には、他の材質のプラスチックと混合し、液状調味料内に沈降するように比重を調整することが好ましい。
【００１３】
前記攪拌体に、攪拌体本体と、この攪拌体本体の表面に形成され、攪拌を促進する突起部とを設け、前記突起部の先端を結んだ面を、球面に形成すると、突起部により攪拌効率が向上するとともに、容器本体の内壁に接触したときの引っかかりがなく、転動しやすくなり、攪拌を妨げることがなくなるという作用を有する。
【００１４】
前記突起部を、角部を丸めたリング状に複数形成すると、容器本体の内壁に接触したときに傷がつきにくくなり、また、突起部の強度が増加するという作用を有する。
【００１５】
前記突起部を、前記攪拌体を平面上に載置したときに、前記攪拌体本体と前記平面との間に隙間が形成されるような大きさに形成すると、調味料容器を逆さにして抽出口を下方に向けたときに、抽出口と攪拌体本体との間に隙間が形成されるので、調味料の詰まりを防止するという作用を有する。
【００１６】
前記蓋部に、前記抽出口内に嵌入されて前記容器本体内に突出する棒状突起を設けると、調味液が棒状突起により攪拌され、攪拌効率が向上するという作用を有する。棒状突起には、抽出口から出し入れ可能な形状であれば、屈曲して形成されているものも含まれる。また、棒状突起の先端は、容器本体の中央レベルより下方レベルまで突出していることが好ましい。
【００１７】
前記抽出口を、前記容器本体に固定された蓋台座に設け、前記蓋台座に、前記容器本体の内部に突出する棒状突起を設けると、調味料が棒状突起により攪拌され、攪拌効率が向上するという作用を有する。
【００１８】
前記棒状突起に、前記攪拌体が蓋部に当接することを防止するストッパを形成すると、攪拌体が抽出口に近接することを防止して、抽出口からの調味液の流出量を減少させずに使い勝手を向上させることができるという作用を有する。
【００１９】
【発明の実施の形態】
以下、本発明の実施の形態について説明する。
（第１の実施の形態）
図１は本発明の第１の実施の形態の調味料容器の正断面図である。図１に示すように、本発明の第１の実施の形態の調味料容器１は、下部が少し膨らんだ有底円筒状の容器本体２の上部に蓋台座６を固着し、この蓋台座６には、円筒状の抽出口３を上方に突出させて形成している。また、蓋台座６の抽出口３の外側には雄ねじ部が形成され、この雄ねじ部には、抽出口３を開閉可能な蓋部４の内側に形成された雌ねじ部が螺合されている。また、容器本体２の上部には、フランジ部７が形成され、このフランジ部７には、半球状の外蓋８が着脱可能に嵌合している。そして、容器本体２の内部には、調味料の一例であるドレッシングが充填され、ドレッシング内には、自由に移動可能な攪拌体５が沈めて配置されている。
【００２０】
容器本体２は、硬質プラスチックであるＰＥＴ（ポリエチレン・テレフタレート）で形成されている。また、蓋台座６はＰＥ（ポリエチレン）で形成され、蓋部４および外蓋８は、ＰＰ（ポリプロピレン）で形成されている。これらの材料は、再利用品を用いることも可能である。
【００２１】
図２は、攪拌体本体の断面図である。図２に示すように、攪拌体５は、容器本体２と同様に、ＰＥＴで形成されている。攪拌体５は、例えば、直径１０〜３０ｍｍ程度に形成された球状の攪拌体本体９と、球体の最大外周に沿って形成された２つのリング状の突起部１０，１１を有している。リング状の突起部１０，１１は、それぞれ直交するように配置されている。突起部１０，１１を設けることによって、攪拌体５が移動するときに調味料を確実に掴まえて、攪拌効率を向上させることができる。
【００２２】
突起部１０，１１の先端部は角を丸めて形成され、また、突起部１０，１１の先端は攪拌体本体９と同心の断面円形に形成されている。すなわち、突起部１０，１１の先端を結んだ仮想面１２は、攪拌体本体９と同心で、かつ攪拌体本体９より直径が大きい球面に形成されている。
【００２３】
突起部１０，１１は、攪拌体５を平面上に載置したときに、攪拌体本体９と平面との間に隙間を有するような大きさに形成されている。すなわち、図２に示すように、突起部１０，１１の先端を結ぶ直線Ｌ１が、攪拌体本体９の外周と重ならないように形成している。このように形成することにより、調味料容器１の抽出口３を下方に向けたときには、攪拌体５の突起部１０，１１が蓋台座６の裏面に当接するので、抽出口３が攪拌体本体９によって塞がれることがなくなり、調味料の流出が妨げられなくなる。
【００２４】
攪拌体本体９は、中実に形成されているが、中空状に形成することも可能である。中空部の大きさを調整することにより見かけの比重を変え、調味料の成分に合わせて、より攪拌しやすい見かけ比重にすることができる。例えば、攪拌により混合しにくい液体調味料で、比重が大きい場合には、中実に形成して見かけ比重を大きくし、逆に比重が小さくて混合が容易な液体調味料の場合には、中空に形成して見かけ比重を小さくすることができる。また、粉状の調味料の場合には、攪拌体の材質を比重が大きい材質に変えて対応することができる。
【００２５】
また、突起部の形状や数を変更することも可能である。例えば、３以上のリング状突起部をそれぞれが交差するように形成することができ、また、板状や棒状の突起部を多数形成することも可能である。突起部の数を増やすことにより、突起部の高さを低くしても、突起部の先端を結ぶ直線が攪拌体本体の外周と重ならないので、抽出口３を塞ぐことがない。なお、突起部を省略してもよく、この場合でも攪拌体５によって攪拌が促進される。
【００２６】
また、攪拌体５の数を増やしてもよく、数を増やすことにより、より攪拌効率が向上する。
【００２７】
蓋台座６の裏面には、容器本体２の内部に突出する棒状突起１３，１４が設けられている。棒状突起１３，１４は、丸棒状に形成され、かつ、先端を半球状に形成されており、この先端と攪拌体５との衝突時の衝撃を緩和するように形成されている。また、棒状突起１３，１４の中間部には、多数の溝部が形成されている。
【００２８】
棒状突起１３，１４は、蓋台座６とは別部材として形成され、溶着により接合することができるが、棒状突起１３，１４の基部と蓋台座６の裏面に、凸部および凹部をそれぞれ形成し、嵌合または掛合させて固定する構造としてもよい。
【００２９】
棒状突起１３，１４の溝部は周方向に形成されているので、調味料が容器本体２の抽出口３と底部の間を往復するときには、溝部に衝突して攪拌が促進される。また、調味料が容器本体２の半径方向または周方向に移動するときには、棒状突起１３，１４の本体に衝突して攪拌が促進されることになる。なお、棒状突起は、１本でもよく、また、攪拌体５の移動を邪魔しない範囲であれば、３本以上形成することも可能である。
【００３０】
次に、調味料容器１の使用状態について説明する。
調味料容器１内の調味料を攪拌するときには、蓋部４を閉じ、容器本体２を片手で持ち、調味料容器１を振る。このとき、調味料が容器本体２の内壁および棒状突起１３，１４に衝突して攪拌されるとともに、攪拌体５が調味料内を移動するので攪拌が促進される。
【００３１】
調味料を調味料容器１から取り出して使用するときには、蓋部４を開けて取り外し、抽出口３を下方に向ける。調味料は、抽出口３から外部に流出する。このとき、攪拌体５は下方に移動するが、突起部１０，１１が設けられているので抽出口を塞ぐことはない。
【００３２】
調味料が無くなった後は、調味料容器１は、各自治体の分別区分によって捨てることができる。すなわち、調味料容器１をそのまま捨てたり、蓋部４および抽出口３を外してそれぞれ分別して捨てることができる。このとき、攪拌体５は容器本体２と同じ材質なので、容器本体５といっしょに捨てることができ、また、攪拌体５のみを回収して再利用することも可能である。
【００３３】
（第２の実施の形態）
図３は、第２の実施の形態の調味料容器の部分断面図である。
第２の実施の形態の調味料容器１５は、第１の実施の形態の調味料容器１の棒状突起１３，１４の上部に、攪拌体５が蓋部４に当接することを防止するストッパ１６を形成したものである。
ストッパ１６の形状は、容器本体２の平断面形状に合わせて平板状に形成されているが、矩形や三角形等に形成することも可能である。また、ストッパ１６は、棒状突起１３，１４とは別部材とし、溶着や掛合により固定しているが、棒状突起１３，１４の成形時に一体的に形成することも可能である。
【００３４】
調味料容器１５を振ったときには、攪拌体５は、容器本体２の底部とストッパ１６との間を移動しながら調味料を攪拌し、調味料容器１５の抽出口３を下方に向けたときには、攪拌体５はストッパ１６に当接して停止し、蓋部４に当接して抽出口３を塞ぐことがなくなるので、調味料の流量に変化がなくなり、使い勝手が向上する。
【００３５】
（第３の実施の形態）
図４は、第３の実施の形態の調味料容器の断面図である。図４に示すように、第３の実施の形態の調味料容器１７は、容器本体１８の上部に抽出口１９が形成された蓋台座２０を設け、容器本体１８の上部外周に形成された雄ねじ部に蓋部２１の内周に形成された雌ねじ部を螺合する構造となっている。また、容器本体１８内には、攪拌体５が配置されている。
【００３６】
蓋部２１には、抽出口１９内に外側から嵌入されて容器本体１８内に突出する棒状突起２２が設けられている。棒状突起２２は、棒状突起１３，１４と同様に丸棒状に形成され、かつ、先端を半球状に形成され、攪拌体５との衝突時の衝撃を緩和するように形成されている。また、棒状突起２２の中間部には、周方向に形成された溝部が多数配置されている。
【００３７】
蓋部２１を取り付けるときには、抽出口１９内に棒状突起２２を挿入し、その後、容器本体の雄ねじ部に雌ねじ部を螺合させると、棒状突起２２の基部によって抽出口１９が閉じられ、調味料が抽出口１９から零れることがなくなる。また、調味料を取り出すときには、雄ねじ部および雌ねじ部の螺合を解除し、棒状突起を抜き取ってから容器本体１８の抽出口１９を下方に向ける。
【００３８】
なお、本発明は、容器本体として、ガラス等の割れやすい材料が用いることもできるが、攪拌体がＰＥＴからなるので、容器を内側から破損することはない。
また、粉状の調味料を使用するときには、容器本体として金属製またはプラスチック製のものを使用し、攪拌体として、金属等の重量が大きいものを使用することが好ましい。
【００３９】
【発明の効果】
本発明によれば次の効果を奏する。
（１）本発明の調味料容器は、容器本体の内部に、自由に移動可能な攪拌体を設けているので、分離液状ドレッシング等の液状調味料や胡椒等の粉状調味料を調味料容器に入れ、蓋部によって抽出口を閉じた状態で容器本体を振ると、攪拌体が調味料中を移動し、攪拌が促進される。そして、攪拌後にすぐに使用でき、外形をコンパクトに形成し、簡単に使用できて攪拌効率をよくすることができる。
（２）攪拌体を、硬質プラスチックで形成すると、金属ほど重量が大きくないため、容器本体の内壁に傷をつけることがなく、特に、容器本体や蓋部と同じ素材の硬質プラスチックで形成すると、使用後に調味料容器を廃棄するときの分別作業が不要となり、容器本体とともに捨てることができ、使い勝手が向上する。
（３）攪拌体の表面に、攪拌を促進する突起部を形成し、この突起部の先端を結んだ面を、球面に形成すると、突起部により攪拌効率が向上するとともに、容器本体の内壁に接触したときの引っかかりがなく、転動しやすくなり、攪拌を妨げることがなくなり、攪拌効率が向上する。
（４）突起部を、角部を丸めたリング状に複数形成すると、容器本体の内壁に接触したときに傷がつきにくくなり、また、突起部の強度が増加し、調味料容器の寿命が長くなる。
（５）突起部を、攪拌体を平面上に載置したときに、攪拌体本体と平面との間に隙間が形成されるような大きさに形成すると、調味料容器を逆さにして抽出口を下方に向けたときに、抽出口と攪拌体本体との間に隙間が形成されるので、調味料の詰まりを防止することができ、簡単に使用することができる。
（６）蓋部に、抽出口内に嵌入されて容器本体内に突出する棒状突起を設けると、調味液が棒状突起により攪拌され、攪拌効率が向上する。
（７）抽出口を、容器本体に固定された蓋台座に設け、蓋台座に、容器本体の内部に突出する棒状突起を設けると、調味料が棒状突起により攪拌され、攪拌効率が向上する。
（８）棒状突起に、攪拌体が蓋部に当接することを防止するストッパを形成すると、抽出口からの調味液の流出量を減少させずに使い勝手を向上させることができる。
【図面の簡単な説明】
【図１】本発明の第１の実施の形態の調味料容器の正断面図である。
【図２】同調味料容器の攪拌体本体の断面図である。
【図３】第２の実施の形態の調味料容器の部分断面図である。
【図４】第３の実施の形態の調味料容器の断面図である。
【符号の説明】
１  調味料容器
２  容器本体
３  抽出口
４  蓋部
５  攪拌体
６  蓋台座
７  フランジ部
８  外蓋
９  攪拌体本体
１０，１１  突起部
１２  仮想面
１３，１４  棒状突起
１５  調味料容器
１６  ストッパ
１７  調味料容器
１８  容器本体
１９  抽出口
２０  蓋台座
２１  蓋部
２２  棒状突起
【図１】
2004160049.tif 000003
【図２】
2004160049.tif 000004
【図３】
2004160049.tif 000005
【図４】
2004160049.tif 000006